(57)【要約】【課題】特別な加工を必要とすることなく固定でき、作業性良くゴム支承体にせん断変形を付与することを可能とするゴム支承体のせん断変形用ジャッキ受けおよびこれを用いたゴム支承体のせん断変形付与方法を提供する。【解決手段】一対のサイドブロック連結アーム８を、その一端部に設けられたそれぞれの貫通孔に、両サイドブロック４を固定する固定ボルト１２を挿通して、両サイドブロック４と連結してゴム支承体１の両サイドに固定するとともに、両サイドブロック連結アーム８の他端部を連結するジャッキ受けプレート９を上沓２の橋軸方向Ｘ端面とすき間をあけて対向して配置し、このすき間にジャッキ６を設置して、ジャッキ６を伸張させて上沓２を橋軸方向Ｘに移動させてゴム支承体１にせん断変形を与える。【選択図】    図１
2006152671.tif 000002
【特許請求の範囲】
【請求項１】
上沓と下沓との間に鋼板とゴム層とを交互に積層したゴム積層体を設け、両サイドに橋軸直角方向の移動を規制するサイドブロックを固定して配置するゴム支承体のせん断変形用ジャッキ受けであって、一端部に貫通孔を有する一対のサイドブロック連結アームと該一対のサイドブロック連結アームの他端部どうしを連結するジャッキ受けプレートとを備え、前記一対のサイドブロック連結アームは、それぞれの貫通孔に前記両サイドブロックを固定するそれぞれの固定ボルトを挿通して、前記両サイドブロックと連結して前記ゴム支承体の両サイドに固定可能であるとともに、前記ジャッキ受けプレートは、前記上沓の橋軸方向端面とすき間をあけて対向して配置可能であるゴム支承体のせん断変形用ジャッキ受け。
【請求項２】
前記一対のサイドブロック連結アームと前記ジャッキ受けプレートとを分離可能とする請求項１に記載のゴム支承体のせん断変形用ジャッキ受け。
【請求項３】
前記一対のサイドブロック連結アームの他端部に前記ジャッキ受けプレートを係合する係合部を設けた請求項２に記載のゴム支承体のせん断変形用ジャッキ受け。
【請求項４】
前記係合部を前記一対のサイドブロック連結アームの長手方向に複数設けた請求項３に記載のゴム支承体のせん断変形用ジャッキ受け。
【請求項５】
上沓と下沓との間に鋼板とゴム層とを交互に積層したゴム積層体を設け、両サイドに橋軸直角方向の移動を規制するサイドブロックを固定して配置するゴム支承体のせん断変形付与方法であって、一端部に貫通孔を有する一対のサイドブロック連結アームのそれぞれの貫通孔に、前記両サイドブロックを固定するそれぞれの固定ボルトを挿通して、前記両サイドブロックと連結して前記ゴム支承体の両サイドに固定するとともに、前記一対のサイドブロック連結アームの他端部どうしを連結するジャッキ受けプレートを前記上沓の橋軸方向端面とすき間をあけて対向して配置し、このすき間にジャッキを設置して、該ジャッキを伸張させて上沓を橋軸方向に移動させてゴム支承体にせん断変形を与えるゴム支承体のせん断変形付与方法。
【発明の詳細な説明】
【技術分野】
【０００１】
本発明は、ゴム支承体のせん断変形用ジャッキ受けおよびこれを用いたゴム支承体のせん断変形付与方法に関し、さらに詳しくは、特別な加工を必要とすることなく固定でき、作業性良くゴム支承体にせん断変形を付与することを可能とするゴム支承体のせん断変形用ジャッキ受けおよびこれを用いたゴム支承体のせん断変形付与方法に関するものである。
【背景技術】
【０００２】
ゴム支承体は、上沓と下沓の間に鋼板とゴム層とを交互に積層したゴム積層体を介装した構造となっており、場合によってゴム支承体の橋軸直角方向の両サイドには、ゴム支承体の橋軸直角方向の移動を規制するサイドブロックが固定ボルトによって固定されている。
【０００３】
ゴム支承体は通常時においては、ゴム支承体の上に載置される橋梁の伸縮等をゴム積層体がせん断変形することによって吸収緩和している。また、地震時には、ゴム積層体がせん断変形することにより地震力を低減している。また、サイドブロックがゴム積層体のせん断変形によるゴム支承体の移動を規制して道路、橋ジョイントの保護や橋梁が脱落しないようにしている。
【０００４】
ところで、橋梁の構造や、製造誤差、温度変化による伸縮等によって、必要に応じてゴム支承体を橋脚等に設置する前または設置した後に、橋軸方向にせん断変形させる場合がある。この場合の従来の方法を図６〜７に例示する。図中のＸ矢印方向は橋軸方向を、Ｙ矢印方向は橋軸直角方向を示している。
【０００５】
まず、上沓２の一方の橋軸方向Ｘ端面にジャッキ受けプレート９を取付けるためのボルト穴を設け、ジャッキ受けプレート９にプレート固定ボルト１４を貫通させて、このボルト穴に螺合させ、ジャッキ受けプレート９を上沓２から橋軸直角方向Ｙ両側に突出させて上沓２に固定する。この状態で、両サイドブロック４の上方突出部４ａとジャッキ受けプレート９との間に、それぞれスペーサ１３を介してジャッキ６を取付けて伸張させることによって、ゴム支承体１にせん断変形を与えていた。
【０００６】
しかしながらこの方法では、ジャッキ受けプレート９を取付けるために上沓２にボルト穴加工をする必要があった。また、ジャッキ受けプレート９とサイドブロック４の上方突出部４ａとの間は、サイドブロック固定用ボルト１２等があり、ジャッキ６を設置するには空間的な制約が多く、作業性良くゴム支承体１をせん断変形させることができなかった。
【０００７】
また、上沓の隅部にＬ字状のジャッキ受けを当接させてボルトで固定し、テンションロッドの一端をジャッキ受けとサイドブロックの貫通孔を貫通させてサイドブロックの上端部に固定し、他端をジャッキ受けに取付けられたジャッキに固定して、ジャッキでテンションロッド移動させることでゴム支承体にせん断変形を付与する装置も提案されている（特許文献１参照）。
【０００８】
この提案においても、上沓やサイドブロックに加工が必要となるとともに、ジャッキ受けとサイドブロック４の上端部との間の制約の多い空間にテンションロッドを配置させるので作業性が悪かった。
【特許文献１】特開２００３−４１５１４号公報
【発明の開示】
【発明が解決しようとする課題】
【０００９】
本発明の目的は、特別な加工を必要とすることなく固定でき、作業性良くゴム支承体にせん断変形を付与することを可能とするゴム支承体のせん断変形用ジャッキ受けおよびこれを用いたゴム支承体のせん断変形付与方法を提供することにある。
【課題を解決するための手段】
【００１０】
上記目的を達成するため本発明のゴム支承体のせん断変形用ジャッキ受けは、上沓と下沓との間に鋼板とゴム層とを交互に積層したゴム積層体を設け、両サイドに橋軸直角方向の移動を規制するサイドブロックを固定して配置するゴム支承体のせん断変形用ジャッキ受けであって、一端部に貫通孔を有する一対のサイドブロック連結アームと該一対のサイドブロック連結アームの他端部どうしを連結するジャッキ受けプレートとを備え、前記一対のサイドブロック連結アームは、それぞれの貫通孔に前記両サイドブロックを固定するそれぞれの固定ボルトを挿通して、前記両サイドブロックと連結して前記ゴム支承体の両サイドに固定可能であるとともに、前記ジャッキ受けプレートは、前記上沓の橋軸方向端面とすき間をあけて対向して配置可能であることを特徴とするものである。
【００１１】
また、本発明のゴム支承体のせん断変形付与方法は、上沓と下沓との間に鋼板とゴム層とを交互に積層したゴム積層体を設け、両サイドに橋軸直角方向の移動を規制するサイドブロックを固定して配置するゴム支承体のせん断変形付与方法であって、一端部に貫通孔を有する一対のサイドブロック連結アームのそれぞれの貫通孔に、前記両サイドブロックを固定するそれぞれの固定ボルトを挿通して、前記両サイドブロックと連結して前記ゴム支承体の両サイドに固定するとともに、前記一対のサイドブロック連結アームの他端部どうしを連結するジャッキ受けプレートを前記上沓の橋軸方向端面とすき間をあけて対向して配置し、このすき間にジャッキを設置して、該ジャッキを伸張させて上沓を橋軸方向に移動させてゴム支承体にせん断変形を与えることを特徴とするものである。
【発明の効果】
【００１２】
本発明のゴム支承体のせん断変形用ジャッキ受けによれば、上沓と下沓との間に鋼板とゴム層とを交互に積層したゴム積層体を設け、両サイドに橋軸直角方向の移動を規制するサイドブロックを固定して配置するゴム支承体のせん断変形用ジャッキ受けであって、一端部に貫通孔を有する一対のサイドブロック連結アームとこの一対のサイドブロック連結アームの他端部どうしを連結するジャッキ受けプレートとを備え、一対のサイドブロック連結アームは、それぞれの貫通孔に両サイドブロックを固定するそれぞれの固定ボルトを挿通して、両サイドブロックと連結してゴム支承体の両サイドに固定可能としたので、特別な加工を必要とせずに既存のサイドブロックをそのまま利用してジャッキ受けを固定できる。
【００１３】
加えて、ジャッキ受けプレートは、上沓の橋軸方向端面とすき間をあけて対向して配置可能としたので、空間的な制約が少ない、このすき間にジャッキを設置することができるので作業性良くゴム支承体にせん断変形を付与することが可能となる。
【００１４】
本発明のゴム支承体のせん断変形付与方法によれば、上沓と下沓との間に鋼板とゴム層とを交互に積層したゴム積層体を設け、両サイドに橋軸直角方向の移動を規制するサイドブロックを固定して配置するゴム支承体のせん断変形付与方法であって、一端部に貫通孔を有する一対のサイドブロック連結アームのそれぞれの貫通孔に、両サイドブロックを固定するそれぞれの固定ボルトを挿通して、両サイドブロックと連結してゴム支承体の両サイドに固定するとともに、一対のサイドブロック連結アームの他端部を連結するジャッキ受けプレートを上沓の橋軸方向端面とすき間をあけて対向して配置し、このすき間にジャッキを設置して、このジャッキを伸張させて上沓を橋軸方向に移動させてゴム支承体にせん断変形を与えるので、上記したジャッキ受けと同様の効果を得ることができる。即ち、特別な加工を不要としてジャッキ受けを固定でき、作業性良くゴム支承体にせん断変形を与えることが可能となる。
【発明を実施するための最良の形態】
【００１５】
以下、本発明のゴム支承体のせん断変形用ジャッキ受けおよびゴム支承体のせん断変形付与方法を図に示した実施形態に基づいて説明する。なお、従来例と同一構成要素には、同一の符号を付し、説明は省略する。
【００１６】
図４に本発明のジャッキ受け７の第１実施形態を示す。このジャッキ受け７は、角柱状のジャッキ受けプレート９と、一端部に貫通孔１０、他端部に係合部１１を有する一対のサイドブロック連結アーム８とを備えている。
【００１７】
ジャッキ受けプレート９は、それぞれのサイドブロック連結アーム８の係合部１１に嵌め込んで係合されて、両サイドブロック連結アーム８の他端部どうしを連結し、一対のサイドブロック連結アーム８は、同一方向にほぼ平行に延設された構造となる。
【００１８】
この実施形態のように、ジャッキ受けプレート９と一対のサイドブロック連結アーム８とを分離した構造だけではなく、一体化した構造としてもよい。
【００１９】
図１に、このジャッキ受け７をゴム支承体１に取付けた状態を平面図で示す。図２は図１のＡ―Ａ断面図、図３は、図１の正面図を示している。一対のサイドブロック連結アーム８はそれぞれ、一端部の貫通孔１０にサイドブロック固定ボルト１２を挿通させてサイドブロック４と連結し、サイドブロック４とともに下沓３に固定され、ゴム支承体１の橋軸直角方向Ｙとなる両サイドに配置される。この実施形態では、サイドブロック４が下沓３に固定されているが、下沓３の下に配置されるベースプレートに固定されることもある。
【００２０】
この状態で、両サイドブロック連結アーム８の係合部１１にジャッキ受けプレート９を嵌めこんで係合させる。これによって、ジャッキ受けプレート９は、上沓２の橋軸方向Ｘ端面と所定のすき間をあけて対向する位置に配置される。この所定のすき間は、使用可能性のあるジャッキ６の大きさ等に基づいて設定される。
【００２１】
このすき間にジャッキ６を設置して、このジャッキ６を伸張させると上沓２は橋軸方向Ｘに移動することになり、ゴム積層体５がせん断変形をする。即ち、ゴム支承体１にせん断変形を付与することができる。
【００２２】
本発明のジャッキ受け７の第２の実施形態を図５に示す。この実施形態では、両サイドブロック連結アーム８の長手方向に複数の係合部１１を設けて、ジャッキ受けプレート９を係合させる位置を選択可能としている。これにより、ジャッキ受けプレート９と上沓２の橋軸方向Ｘ端面とのすき間が変更可能となり、１つのジャッキ受け７によって異なる仕様の複数のゴム支承体１に対応可能となるとともに、使用できるジャッキ６の選択肢も広がる。
【００２３】
また、ジャッキ受けプレート９の両端部にプレート端突起９ａを設けて、サイドブロック連結アーム８に係合した際の長手方向の移動を規制することもできる。これによって、ずれをなくして安定してジャッキ受けプレート９を係合させることができる。
【００２４】
以上のように本発明のジャッキ受けおよびせん断変形付与方法では、既存のサイドブロック４をそのまま利用することによってジャッキ受け７を固定するので、既存部品に特別な加工をする必要がない。また、ジャッキ６は、空間的な制約の少ない上沓２の橋軸方向端面部周辺となるので設置が容易で、作業性良くゴム支承体１にせん断変形を与えることができる。
【００２５】
このせん断変形の付与は、ゴム支承体１を橋脚等に設置する前もしくは設置後に実施される。したがって、工場で予めせん断変形を与える場合も、ゴム支承体１が設置される現場でせん断変形を与える場合もある。加工設備や作業環境が整っていない現場での実施においても、本発明のジャッキ受け７および方法によると作業性良くゴム支承体１にせん断変形を与えることができる。
【図面の簡単な説明】
【００２６】
【図１】本発明のジャッキ受けを用いてゴム支承体にせん断変形を付与している状態を例示する平面図である。
【図２】図１のＡ―Ａ断面図である。
【図３】図１の正面図である。
【図４】本発明のジャッキ受けの第１実施形態の構成を例示する斜視図である。
【図５】本発明のジャッキ受けの第２実施形態の構成を例示する斜視図である。
【図６】従来の方法でゴム支承体にせん断変形を付与している状態を例示する平面図である。
【図７】図６の正面図である。
【符号の説明】
【００２７】
１  ゴム支承体
２  上沓
３  下沓
４  サイドブロック
５  ゴム積層体
６  ジャッキ
７  ジャッキ受け
８  サイドブロック連結アーム
９  ジャッキ受けプレート        ９ａ  プレート端突起
１０  貫通孔
１１  係合部
１２  サイドブロック固定ボルト
１３  スペーサ
１４  プレート固定ボルト
【図１】
2006152671.tif 000003
【図２】
2006152671.tif 000004
【図３】
2006152671.tif 000005
【図４】
2006152671.tif 000006
【図５】
2006152671.tif 000007
【図６】
2006152671.tif 000008
【図７】
2006152671.tif 000009